(57)【要約】【課題】音声発生装置を遊技者方向に指向させて型成形部品に固着する際に複雑な成形型を使用することなく簡単な構造でネジにて固定することが可能な遊技機を提供すること。【解決手段】カバープレートに傾斜面を備えた支持部を型成形によって一体的に形成し、その傾斜面に指向性のあるスピーカ装置を固着する際に、支持部３６の成形型の型抜き方向Ｖ２と直交する面Ｖ２に対して傾斜面３７を傾斜させて構成する。そして支持部３６に傾斜面３７に開口する透孔３８を形成し、透孔３８の内周壁面３８ａを型抜き方向に沿って延出した形状とする。一方スピーカ装置３０側にはスピーカ装置３０を傾斜面３７に配置させた状態で透孔３８位置に一致させ、その軸線Ｐ方向が傾斜面３７方向と直交するネジ孔４７を形成し、透孔３８に対して支持部３６裏面側より傾斜面３７と軸線Ｐ方向を直交させるようにタッピンネジ４１を挿通してスピーカ装置３０を固定する。【選択図】      図６
2006271604.tif 000002
【特許請求の範囲】
【請求項１】
遊技者と対面する前面部に装飾部材を備えるとともに、型成形により形成される型成形部品を備え、内部機器を前方から封塞する前面パネルであって、同型成形部品には傾斜面を備えた支持部が一体成形によって形成され、同傾斜面に指向性のある音声発生装置を配置させた状態で同支持部に対して同音声発生装置を固着し、同音声発生装置から発せられる音声を同前面パネルの前方かつ中央寄りに指向させるようにした遊技機において、
前記型成形部品の成形型の型抜き方向と直交する面に対して前記傾斜面は傾斜して構成されるとともに、前記支持部には同傾斜面に開口する表裏に貫通した透孔を形成し、同透孔の内周壁面を型抜き方向に沿って延出した形状とし、
前記音声発生装置側には同音声発生装置を同傾斜面に配置させた状態で同透孔位置に一致しその軸線方向が前記傾斜面方向と直交するネジ孔を形成し、
同透孔に対して前記支持部裏面側より前記傾斜面と軸線方向を直交させるようにネジを挿通し、同ネジを同透孔を介して同ネジ孔に対して螺合させ締め付けることで前記音声発生装置を同傾斜面に拘止させるようにしたことを特徴とする遊技機。
【請求項２】
遊技者と対面する前面部に装飾部材を備えるとともに、型成形により形成される型成形部品を備え、内部機器を前方から封塞する前面パネルであって、同型成形部品には傾斜面を備えた支持部が一体成形によって形成され、同傾斜面に指向性のある音声発生装置を配置させた状態で同支持部に対して同音声発生装置を固着し、同音声発生装置から発せられる音声を同前面パネルの前方かつ中央寄りに指向させるようにした遊技機において、
前記型成形部品の成形型の型抜き方向と直交する面に対して前記傾斜面は傾斜して構成されるとともに、前記支持部には同傾斜面に開口する表裏に貫通した透孔を形成し、同透孔の内周壁面を表裏方向に向かって拡開した形状とし、
前記音声発生装置側には同音声発生装置を同傾斜面に配置させた状態で同透孔位置に一致しその軸線方向が前記傾斜面方向と直交するネジ孔を形成し、
同透孔に対して前記支持部裏面側より前記傾斜面と軸線方向を直交させるようにネジを挿通し、同ネジを同透孔を介して同ネジ孔に対して螺合させることで前記音声発生装置を同傾斜面に拘止させるようにしたことを特徴とする遊技機。
【請求項３】
前記傾斜面が下向きである場合における同透孔の内周壁面は下方側が、同傾斜面が上向きである場合における同透孔の内周壁面は上方側がそれぞれ同傾斜面と略直交することを特徴とする請求項２に記載の遊技機。
【請求項４】
前記ネジ孔は前記音声発生装置の一部を構成する本体フレームに直接形成されていることを特徴とする遊技機。
【発明の詳細な説明】
【技術分野】
【０００１】
本発明は指向性のある音声発生装置を内蔵した遊技機に関するものである。
【背景技術】
【０００２】
従来よりパチンコ機やスロットマシン等に代表される遊技機では、遊技における各種の効果音を出力する音声発生装置としてのスピーカ装置が内蔵されている。このようなスピーカ装置はかつては単に聞こえればよいというように遊技において副次的な意味が強かったのであるが、近年では音声による遊技の演出効果が重視されるようになてきている。そのため、複数のスピーカ装置を使用してステレオ装置からより臨場感のある音声を出力したり、スピーカ装置をなるべく耳に近い遊技機の前面パネルに配設し遊技者により明瞭な音質のよい状態で効果音を聞かせたりするようにしている。
さらに、近年では指向性のあるスピーカ装置を単に遊技機の前面パネルに配設するだけではなく、遊技者の頭部方向に傾けて配置することで更なる音質の向上を実現するようにしている。このように遊技者はスピーカ装置の配置状態の改良によってより臨場感のある効果音を体感することができ、遊技の興趣が増すこととなっている。
【０００３】
ところで、スピーカ装置はネジ止めによって所定の取り付け位置に固着するのが一般的である。すなわち、支持部側のネジ孔とスピーカ装置側の取り付け孔を一致させ、ネジを螺合させることでスピーカ装置を拘止するわけである。しかし、上記のように傾けてスピーカ装置を配置する場合には支持部にネジ孔を設けることが困難な場合がある。つまり、一般にスピーカ装置を支持する支持部は現状の遊技機では金型を使用したプラスチック成形によって他の部分、例えば前面パネルのベースプレートと一体的に形成される型成形部品とされている。金型によるプラスチック成形ではなるべく金型を少なくし、なおかつ単純なスライド型抜きができることが好ましい。すなわち、図１６（ａ）に示すような２つの分割金型Ａ，Ｂによって２分割できれば金型も単純化してコストが抑制でき、型抜き時のトラブルも少ないため好ましい。
しかし、図１５のように基準となる垂直面ｓに対してスピーカ装置を傾けて支持部に配設する場合にはネジ孔１００もその傾斜に応じ傾けて形成する必要がある。しかし、この場合には分割金型Ａ，Ｂを使用することはできない場合がある。つまり図１６（ｂ）で示す矢印方向に分割金型Ａ，Ｂをそれぞれスライドさせた場合に、ネジ孔１００の向き（孔の軸ｐ方向）は型抜き方向とはずれているため、ネジ孔に充填され固化したプラスチックが障害となって型抜きができなくなるからである。これを避けるためには例えば図１６（ｃ）のようにＡＢＣの３つの分割金型を使用しなくてはならないわけである。しかしこれでは、型抜きが非常に面倒になり、金型のコストもかかってしまうこととなる。また、金型形状が複雑になればそれだけ製品の不良品率も高くなるため好ましくない。更に、実際にはこのように単純に３つ以上の分割金型で抜く方向の異なるネジ孔に対応できるわけではなく、支持部の構造や他の構成との兼ね合いで傾斜したネジ孔を支持部に形成できない場合もありうる。
【０００４】
これらの課題を解決するためにいくつかの手段が取りうる。例えば特許文献１には同文献１の図８に示すようにネジ下孔１７０の開口形状を傾斜方向に沿った長孔とし、成形型の抜き方向より内壁面上部側が外方に拡がった形状とすることで型抜きを可能とし、同じくその図９に示すようにタッピングネジ１６８の軸線方向を取付板２６に対して直交させるようにして螺合させている。
また、他の手段として図１７及び図１８に示すように傾斜面１０１と平行にコーン形スピーカ装置１０２を配置する際に、支持部側の上下に配設された爪状のフック１０３，１０４によってスピーカ装置１０２を固定するようにすることが可能である。スピーカ装置１０２側の張り出し部１０８は支持ピン１０５，１０６及びフック１０３，１０４とによって上下２箇所で挟持され、傾斜した状態で支持されることとなる。
【特許文献１】特開２００３−１８０９５４号公報
【発明の開示】
【発明が解決しようとする課題】
【０００５】
ところが、上記特許文献１ではタッピングネジ１６８が螺合されるネジ下孔１７０は長孔形状とされているため、タッピングネジ１６８の全周がネジ下孔１７０に食い込むわけではない。タッピングネジ１６８はネジ下孔１７０内部でいわば前後の内周壁面によって挟持されているような状態で螺入されているにすぎない。従って、このような構造では型抜きは可能となるもののタッピングネジ１６８のネジ下孔１７０内における食い込み量が足らず締結力が十分発揮されないおそれがある。
また、上記図１７及び図１８に示すスピーカ装置１０２の固定手段では、張り出し部１０８の端を支持ピン１０５，１０６及びフック１０３，１０４とによって挟持しているにすぎないためネジによる固定に比べて固定力が弱く、また固定はされているものの、ネジのようなしっかりと締結されているのではないためコーンの振動に追随してスピーカ装置１０２自身が振動してしまい、発せられる音声が歪んで（いわゆる音が割れたり、びびるという症状）しまうという不具合が生じる。
本発明は、このような従来の技術に存在する問題点に着目してなされたものである。その目的とするところは、音声発生装置を遊技者方向に指向させて型成形部品に固着する際に複雑な成形型を使用することなく簡単な構造でネジにて固定することが可能な遊技機を提供するものである。
【課題を解決するための手段】
【０００６】
上記の目的を達成するために請求項１の発明では、遊技者と対面する前面部に装飾部材を備えるとともに、型成形により形成される型成形部品を備え、内部機器を前方から封塞する前面パネルであって、同型成形部品には傾斜面を備えた支持部が一体成形によって形成され、同傾斜面に指向性のある音声発生装置を配置させた状態で同支持部に対して同音声発生装置を固着し、同音声発生装置から発せられる音声を同前面パネルの前方かつ中央寄りに指向させるようにした遊技機において、前記型成形部品の成形型の型抜き方向と直交する面に対して前記傾斜面は傾斜して構成されるとともに、前記支持部には同傾斜面に開口する表裏に貫通した透孔を形成し、同透孔の内周壁面を型抜き方向に沿って延出した形状とし、前記音声発生装置側には同音声発生装置を同傾斜面に配置させた状態で同透孔位置に一致しその軸線方向が前記傾斜面方向と直交するネジ孔を形成し、
同透孔に対して前記支持部裏面側より前記傾斜面と軸線方向を直交させるようにネジを挿通し、同ネジを同透孔を介して同ネジ孔に対して螺合させ締め付けることで前記音声発生装置を同傾斜面に拘止させるようにしたことをその要旨とする。
【０００７】
音声発生装置を支持部にネジ止めで固定する場合、支持部側のネジ孔と音声発生装置側のネジ孔を一致させネジを螺合させてこれを行う。しかし、支持部が傾斜面を備え音声発生装置をこの傾斜面に配置させる場合には、支持部側のネジ孔の軸線は傾斜面と直交させなければ音声発生装置側のネジ孔と一致させることはできない。ところが、型成形により支持部が一体成形される型成形部品では型抜き方向がその支持部側のネジ孔の軸線の方向と一致させられない場合がある。そのようなケースでは支持部側のネジ孔の軸線は傾斜面と直交させることはできず、このような傾斜面に音声発生装置をネジだけで固定することは困難である。
ところが、請求項１では、支持部の表裏に貫通して形成され傾斜面に開口する透孔の内周壁面は型成形部品の型抜き方向に沿って延出した形状とされている。そのため、型成形部品の型抜きが可能とされている。そして、この透孔は支持部の裏面側からネジを挿通した際にその軸線が傾斜面と直交するようにネジを進出することが可能となっている。一方、音声発生装置側のネジ孔もその軸線方向が傾斜面方向と直交するため、音声発生装置を傾斜面に透孔とネジ孔が一致させることができる。つまり、ネジを透孔の裏面側から挿入してネジとネジ孔の軸線がずれることなく両者をしっかりと螺合させることが可能となっている。ネジの締め付けによって最終的に音声発生装置は支持部の傾斜面に拘止される。
これによって、型成形部品の型抜きが可能となるとともに、支持部裏面からネジをその軸線方向において傾斜面方向に対して直交するように進出させてネジ孔に螺合させることもでき、型抜き方向に左右されずに種々の傾斜の傾斜面を設けることができるとともに音声発生装置をネジだけでしっかりと固定することが可能となる。
【０００８】
また、上記の目的を達成するために請求項２の発明では、遊技者と対面する前面部に装飾部材を備えるとともに、型成形により形成される型成形部品を備え、内部機器を前方から封塞する前面パネルであって、同型成形部品には傾斜面を備えた支持部が一体成形によって形成され、同傾斜面に指向性のある音声発生装置を配置させた状態で同支持部に対して同音声発生装置を固着し、同音声発生装置から発せられる音声を同前面パネルの前方かつ中央寄りに指向させるようにした遊技機において、前記型成形部品の成形型の型抜き方向と直交する面に対して前記傾斜面は傾斜して構成されるとともに、前記支持部には同傾斜面に開口する表裏に貫通した透孔を形成し、同透孔の内周壁面を表裏方向に向かって拡開した形状とし、前記音声発生装置側には同音声発生装置を同傾斜面に配置させた状態で同透孔位置に一致しその軸線方向が前記傾斜面方向と直交するネジ孔を形成し、同透孔に対して前記支持部裏面側より前記傾斜面と軸線方向を直交させるようにネジを挿通し、同ネジを同透孔を介して同ネジ孔に対して螺合させることで前記音声発生装置を同傾斜面に拘止させるようにしたことをその要旨とする。
【０００９】
音声発生装置を支持部にネジ止めで固定する場合、支持部側のネジ孔と音声発生装置側のネジ孔を一致させネジを螺合させてこれを行う。しかし、支持部が傾斜面を備え音声発生装置をこの傾斜面に配置させる場合には、支持部側のネジ孔の軸線は傾斜面と直交させなければ音声発生装置側のネジ孔と一致させることはできない。ところが、型成形により支持部が一体成形される型成形部品では型抜き方向がその支持部側のネジ孔の軸線の方向と一致させられない場合がある。そのようなケースでは支持部側のネジ孔の軸線は傾斜面と直交させることはできず、このような傾斜面に音声発生装置をネジだけで固定することは困難である。
ところが、請求項２では、支持部の表裏に貫通して形成され傾斜面に開口する透孔の内周壁面は表裏方向に向かって拡開した形状とされている。そのため、型成形部品の型抜きが可能とされている。そして、この透孔は支持部の裏面側からネジを挿通した際にその軸線が傾斜面と直交するようにネジを進出することが可能となっている。一方、音声発生装置側のネジ孔もその軸線方向が傾斜面方向と直交するため、音声発生装置を傾斜面に透孔とネジ孔が一致させることができる。つまり、ネジを透孔の裏面側から挿入してネジとネジ孔の軸線がずれることなく両者をしっかりと螺合させることが可能となっている。ネジの締め付けによって最終的に音声発生装置は支持部の傾斜面に拘止される。
これによって、型成形部品の型抜きが可能となるとともに、支持部裏面からネジをその軸線方向において傾斜面方向に対して直交するように進出させてネジ孔に螺合させることもでき、型抜き方向に左右されずに種々の傾斜の傾斜面を設けることができるとともに音声発生装置をネジだけでしっかりと固定することが可能となる。
これによって、型成形部品の型抜きが可能となるとともに、支持部裏面からネジをその軸線方向において傾斜面方向に対して直交するように進出させてネジ孔に螺合させることもでき、型抜き方向に左右されずに種々の傾斜の傾斜面を設けることができるとともに音声発生装置をネジだけでしっかりと固定することが可能となる。
【００１０】
また、上記の目的を達成するために請求項３の発明では請求項２の発明の構成に加え、前記傾斜面が下向きである場合における同透孔の内周壁面は下方側が、同傾斜面が上向きである場合における同透孔の内周壁面は上方側がそれぞれ同傾斜面と略直交するようにしたことをその要旨とする。
【００１１】
このような構成では、請求項２の作用及び効果に加え、ネジを透孔に挿入する際に傾斜面と略直交する内周壁面に沿わせて透孔内に進出させることができるとともに、透孔の裏面側におけるネジの頭部と透孔周縁部との当接面積を多くすることが可能となる。
また、上記の目的を達成するために請求項４の発明では請求項１〜３のいずれかの発明の構成に加え、前記ネジ孔は前記音声発生装置の一部を構成する本体フレームに直接形成されていることをその要旨とする。
このような構成では、請求項１〜３のいずれかの発明の作用及び効果に加え、音声発生装置を固定するためのフレームを別途用意しなくともそのまま傾斜面に固着することができるので、コスト削減、軽量化、音声発生装置の装着作業の簡略化等に貢献する。
【発明の効果】
【００１２】
上記各請求項に記載された発明では、音声発生装置を傾斜して装着するための傾斜面が形成された支持部を備えた型成形部品の型抜きが可能となるとともに、音声発生装置を傾斜面にネジだけでしっかりと固定することが可能となる。
【発明を実施するための最良の形態】
【００１３】
以下、本発明をパチンコ機に応用した実施の形態１について図面に基づいて説明する。まず、図１及び図２に基づいてパチンコ機の概略を説明する。
パチンコ機１１の外枠１２には遊技機本体１３と前枠１４がヒンジ１５を介して開閉自在に取り付けられている。遊技機本体１３はパチンコ遊技機の構造的な中核を形成するパネル状の構成部材であってその背面には図示しないタンク、賞球排出ユニット１６、取り付けベース１７等から構成される機構盤１８が配設されている。遊技機本体４の上半身には遊技盤２０が装着されている（遊技盤２０は図２では省略）。遊技盤５の前面はほぼ垂直に構成された遊技面２１とされている。尚、図１においては遊技面２１に植設される釘の図示は省略されている。前枠１４の上方位置にはガラス窓Ｇが嵌合されており、同ガラス窓Ｇの下方位置には上受け皿２２が形成されている。前枠１４の下方位置には前面パネルとしてのカバープレート２３が配設されている。カバープレート２３は遊技機本体１３に対してヒンジ１５を介して開閉自在に取り付けられている。カバープレート２３には前方に突出形成された下受け皿２４が形成されている。下受け皿２４の右側方には操作ハンドル２７が取付けられている。前枠１４の前面部には装飾部材としての図示しないＬＥＤ等の光源を内蔵した装飾パネル２５や装飾部材としての凹凸部２６等が形成されている。
前記カバープレート２３の背面中央寄りには音声発生装置としてのスピーカ装置３０が配設されている。
【００１４】
次に、カバープレート２３においてスピーカ装置３０が取り付けられている付近の取り付け構造についてより詳しく説明する。
スピーカ装置３０はカバープレート２３の一部を構成するベースプレート２９の支持部３１に取り付けられている。ベースプレート２９は均等な厚みに構成された横長に配置された長方形形状の均等な肉厚の板体であって、図示しない金型を使用したプラスチック成形によって一体的に形成される。ベースプレート２９の型抜き方向は図３において垂直に延出される基準面Ｖ１に対して直交する前後方向、つまり図３における２つの矢印の方向とする（つまり２つの分割金型によって成形されるものとする）。ここに、ベースプレート２９の基準面Ｖ１とはパチンコ機１１の設置状態におけるほぼ垂直方向に延出される面をいう（ほぼ、としたのは実際にはパチンコ機１１はごくわずかに後傾して設置されるため）。ベースプレート２９の前面には前面プレート３２が配設されている。ベースプレート２９及び前面プレート３２によってカバープレート２３の骨格が構築されている。前面プレート３２の下受け皿２４の内側に面した位置にはスピーカ装置３０から出力される効果音の出口となる多数の音声発生孔３３が形成されている。
【００１５】
図３〜図５に示すように、ベースプレート２９の中央寄り位置に一体成形により形成された支持部３１は所定間隔を開けて左右に配置された一対の後方突出部３４ａ、３４ｂから構成されている。この間隔はスピーカ装置３０から出力される音声を遮らないようなスピーカ装置３０の横幅に応じた間隔とされている。両後方突出部３４ａ、３４ｂは対称形状とされており、上方ほど幅広に構成された後方張り出し部３５と、後方張り出し部３５から鈎の手状に相向かい合う方向に屈曲された傾斜部３６から構成されている。傾斜部３６は上方ほど後傾した板体とされ、相対向する傾斜部３６の端部はスピーカ装置３０の形状に応じて湾曲されている。傾斜部３６の後面はスピーカ装置３０前面が当接される傾斜面３７とされている。傾斜面３７はベースプレート２９の基準面Ｖ１に対して本実施の形態１ではθの角度で後傾されている。
両後方突出部３４ａ、３４ｂのそれぞれの傾斜部３６の上下寄り位置には同傾斜部３６の厚み方向に貫通する透孔３８が形成されている。同透孔３８は断面円形に形成され、その内周壁３８ａはベースプレート２９の基準面Ｖ１に対して直交する方向、つまり型抜き方向Ｖ２に沿って延出されている。
【００１６】
図３〜図７に示すように、スピーカ装置３０は支持部３１（後方突出部３４ａ、３４ｂ）に対して取り付けフレーム４０を介してタッピンネジ４１によるネジ止めによって固着されている。
スピーカ装置３０は前方に向かって拡開された金属製の本体フレーム４２と、同本体フレーム４２の尻部に固着されたコイル、マグネット等から構成される振動機構部４３と、振動板としての円錐状のコーン紙４４とから構成された既知のスピーカ構造とされている。コーン紙４４は本体フレーム４２の前方開口部と振動機構部４３間に張設されている。
スピーカ装置３０の取り付けに使用される取り付けフレーム４０は、スピーカ装置３０の本体フレーム４２の外形に対応した椀形の外形をなした取り付け部材であって、図示しない金型を使用してプラスチック成形によって一体的に形成される。取り付けフレーム４０は本体フレーム４２を包囲する包囲部４５と包囲部４５先端の円形の開口部の周縁に一体的に形成されたフランジ状当接縁４６から構成されている。図４及び図５に示すように、フランジ状当接縁４６は正方形形状の外形に構成され、その四方角部にはそれぞれネジ孔４７が形成されている。ネジ孔４７はフランジ状当接縁４４の板厚よりも厚く構成された肉厚部４８の厚み方向に貫通する透孔として構成され、その中心軸線Ｐはフランジ状当接縁４６の前面４６ａと直交するとともに支持部３１に配設された状態において傾斜面３７に対して直交する（図６参照）。
タッピンネジ４１は外周に雄ネジが形成されたネジ本体４９と頭部５０とから構成されている。ネジ本体４９の先端は尖鋭状とされている。頭部５０にはドライバー等の器具によってタッピンネジ４１を回動させる際の係合部となるプラス溝５１が形成されている。      
【００１７】
スピーカ装置３０の取り付け構造についてその取り付け工程と合わせてさらに詳しく説明する。スピーカ装置３０の取り付けは例えば次のように行われる。
まず、スピーカ装置３０を取り付けフレーム４０内に収容し、本体フレーム４２前面のフランジ状当接縁４６の前面４６ａを傾斜面３７に密着させる。このとき、スピーカ装置３０の本体フレーム４２前端と取り付けフレーム４０のフランジ状当接縁４６の前面４６ａは面一となっているため本体フレーム４２前端も傾斜面３７に当接させられる。
取り付けフレーム４０の位置を上下左右に動かして調整し、ネジ孔４７を傾斜部３６側の透孔３８と一致させる。そして、傾斜部３６の裏面側（パチンコ機１１全体としては前面側に相当する。従ってここに「表面」とはベースプレート２９のスピーカ装置３０の取り付け側であって、パチンコ機１１全体としては後面側に相当する。以下同様。）から透孔３８内にタッピンネジ４１をその中心線軸Ｑが傾斜面に直交するように挿入する。
図６に示すように、ネジ本体４９の直径ｄは傾斜部３６の透孔３８の内側開口部上方角部を通り傾斜面３７と直交する線分Ｔ１と透孔３８の外側開口部下方角部を通り傾斜面３７と直交する線分Ｔ２との間隔Ｓよりも小さく構成されている。このような構成でなければネジ本体４９が内周壁３８ａと干渉してタッピンネジ４１を傾斜面３７に直交するように進出させられないからである。また、ネジ本体４９の直径ｄは取り付けフレーム４０のネジ孔４７の内径よりもわずかに大きく構成されている。これはタッピンネジ４１によってネジ孔４７に食い込ませながら（つまりネジ切りを行いながら）同時にタッピンネジ４１をネジ孔４７に螺合させるためである。
【００１８】
タッピンネジ４１を透孔３８内に挿入し、その先端をネジ孔４７に押し当てる。この時タッピンネジ４１の中心線軸Ｑをネジ孔４７の中心軸線Ｐと一致させようにする。タッピンネジ４１を押圧しながら回転させネジ本体４９をネジ孔４７の内周面４７ａに食い込ませながら徐々に進出させていく。図７に示すように、タッピンネジ４１の頭部５０を傾斜部３６裏面側の透孔３８周縁に当接させ、さらに強く締め付けることで取り付けフレーム４０は支持部３１（後方突出部３４ａ、３４ｂ）に拘止させられる（図７の状態）。本実施の形態１では４箇所に同様の操作でタッピンネジ４１をネジ孔４７に螺合させることで取り付けが完了する。これによって取り付けフレーム４０に被覆されたスピーカ装置３０は支持部３１の傾斜面３７に圧着させられることとなる。
【００１９】
このような構成とすることで、本実施の形態１では次のような効果が奏される。
（１）傾斜部３６に形成された透孔３８の内周壁３８ａは型抜き方向Ｖ２に沿って延出されているため、ベースプレート２９をプラスチック成形により成形した際の型抜きが可能となっている。そして、透孔３８を利用してタッピンネジ４１を傾斜面３７と直交するように挿入することができる。その結果、タッピンネジ４１の中心線軸Ｑをネジ孔４７の中心軸線Ｐと一致させることができ、取り付けフレーム４０をネジ止めして傾斜面４７に密着させることが可能となる。そして、スピーカ装置３０は傾斜面３７に配設されることで前方斜め上方の遊技者の顔方向に音声を指向させることになるため、効果音の音質が向上し音がより聞き取りやすく臨場感あるものとなる。
また、例え傾斜部３６の傾斜が大きくなっても透孔３８の内周壁３８ａは型抜き方向に沿って延出させられていれば型抜きは可能であるため、種々の傾斜角度・傾斜方向を持った傾斜部に対応させることが可能である。
（２）タッピンネジ４１はネジ孔４７としっかりと螺合するためスピーカ装置３０は取り付けフレーム４０を介して支持部３１の傾斜面３７にしっかりと密着させられるため、自身の振動で音声が歪むことがない。
（３）板状の傾斜部３６に透孔３８が形成されているため、透孔３８の奥行きが浅く、傾斜面３７に対してタッピンネジ４１の中心線軸Ｑ方向が直交するように挿通する場合にネジ本体４９が透孔３８の内周面３８ａと干渉することがなく（つまり上記間隔Ｓが狭くならない）、透孔３８を大きく開口しなくともネジを挿通することが可能となり、タッピンネジ４１の頭部５０が透孔３８周縁にしっかりと係合させることが可能となる。
【００２０】
（実施の形態２）
次に図８〜図１０に基づいて実施の形態２について説明する。実施の形態２は実施の形態１に比較的近いバリエーションであり、透孔３８の形状のみを異にし他の構成は同じとされる。そのため、実施の形態１と異なる構成を主に説明し、共通する構成部材については図上同じ符号を付すことで詳しい説明は省略する。
実施の形態２において傾斜部３６に形成された透孔３８の内周壁３８ａは表裏において均等な上下幅の内周壁３８ａではなく、裏面側よりも表面側が拡開されて構成されている。つまり、図１０（ａ）に示すように裏面側では円形の開口部とされ、図１０（ｂ）に示すように表面側では上下方向に長軸を有する楕円形状とされている。内周壁３８ａの下側壁部５５ａは傾斜面３７に対して直交方向に延出されており、上側壁部５５ｂはベースプレート２９の基準面Ｖ１に対して直交方向に延出されている。
このような構成とすることで、上記実施の形態１の（１）〜（３）と同様の効果を奏するとともに、下側壁部５５ａを案内としてタッピンネジ４１を傾斜面３７に対して直交方向に延出させることができる。また、実施の形態１と比較して分かるように傾斜部３６の裏面側における透孔３８の開口部が小さくなるためタッピンネジ４１の頭部５０と透孔３８周縁との当接面積が増え、よりしっかりタッピンネジ４１を締め付けることが可能となる。
【００２１】
（実施の形態３）
次に図１１〜図１４に基づいて実施の形態３について説明する。実施の形態３は実施の形態１に比較的近いバリエーションでありスピーカ装置３０の取り付け構造のみを異にし他の構成は同じとされる。そのため、実施の形態１と異なる構成を主に説明し、共通する構成部材については図上同じ符号を付すことで詳しい説明は省略する。
実施の形態３においてはスピーカ装置３０は取り付けフレーム４０のような仲介部材を介さず直接支持部３１に固着されている。
スピーカ装置３０の本体フレーム４２の前端にはフランジ状当接縁６１が一体的に形成されている。フランジ状当接縁６１は正方形形状の外形に構成され、その四方角部にはそれぞれバーリング加工したネジ孔６２が形成されている。バーリング加工とは下穴を形成後に、下穴を中心にプレスし、同下穴を拡開しながら（皿押しディンプリング加工）フランジ状当接縁６１の裏面側に凹状の円錐部６３を加工する工法である。
このような構成とすることで、上記実施の形態１の（１）〜（３）と同様の効果を奏するとともに、取り付けフレーム４０のような仲介部材を介さずに直接スピーカ装置３０を傾斜面３７に固着することができるため、コスト削減、軽量化、音声発生装置の装着作業の簡略化等に貢献することとなる。
【００２２】
本発明は以下のような態様に変更して実施することが可能である。
・上記支持部３１の形状は一例であって、限定されるものではない。
・指向性のあるスピーカ装置であれば上記に限定されるものではない。
・上記各実施の形態ではスピーカ装置３０はカバープレート２３の背面に配設したが、もちろんこの位置に限定されるものではない。例えば前枠１４に配設するようにしても構わない。また、スピーカ装置は複数配設することももちろん可能である。
・ネジとしては上記各実施の形態ではタッピンネジ４１を使用したが、他のネジ、例えばボルトとナットを使用して締結することも可能である。
・上記実施の形態ではスピーカ装置３０はカバープレート２３の背面に配設したが、前面、例えばカバープレート２３であれば前面プレート３２に配設するようにしても構わない。
・上記実施の形態２では透孔３８は表面方向に向かって拡開させていたが、裏面側に向かって拡開させるようにしてもよい。また、実施の形態２では下側壁部５５ａを傾斜面３７に対して直交方向に延出させ、上側壁部５５ｂをベースプレート２９の基準面Ｖ１に対して直交方向に延出させるようにしていた。つまり、上側壁部５５ｂ側によって透孔３８の内周壁３８ａの拡開を実現していたがどのような拡開形状とするかは自由である。
さらに、拡開方向は表裏いずれかではなく両方向に行ってもよい。つまり透孔の側断面形状で鼓状に構成するようにしてもよい。
・上記実施の形態はパチンコ機に応用した例について説明したが、本発明の趣旨からしてその他の遊技機、例えばスロットマシンやパチロット等に応用することは自由である。  その他、本発明の趣旨を逸脱しない態様で実施することは自由である。
【００２３】
上記請求項に適宜追加可能な上記実施の形態から把握できる本発明のその他の技術的思想について下記に付記として説明する。
（１）前記音声発生装置は前記支持部を構成する板体の表面に圧着され、同支持部に形成された前記透孔は板面の厚み方向に貫通して形成されること。
具体的には例えば上記実施の形態１において傾斜部３６に透孔３８が形成され傾斜面３７に圧着されていることが相当する。このように構成すると、透孔３８の奥行きが浅くなるため傾斜面と軸線方向を直交させるようにネジを挿通する場合に透孔３８を大きく開口しなくともネジを挿通することが可能となる。
【図面の簡単な説明】
【００２４】
【図１】本発明を応用した実施の形態１〜３のパチンコ機の正面図。
【図２】同じパチンコ機における前枠を開放した状態（遊技盤は省略）の斜視図。
【図３】実施の形態１の要部となるベースプレート背面の支持部位置の説明図であって、（ａ）はスピーカ装置を取り付けた状態、（ｂ）は取り付け前の状態。
【図４】実施の形態１及び２におけるベースプレート背面の支持部位置付近の分解斜視図。
【図５】実施の形態１及び２におけるベースプレート背面の支持部位置付近の斜視図。
【図６】実施の形態１において傾斜部に対して取り付けフレームを取り付ける際の取り付け工程を説明する説明図。
【図７】実施の形態１において傾斜部に対して取り付けフレームを取り付けた状態の説明図。
【図８】実施の形態２において傾斜部に対して取り付けフレームを取り付ける際の取り付け工程を説明する説明図。
【図９】実施の形態２において傾斜部に対して取り付けフレームを取り付けた状態の説明図。
【図１０】実施の形態２における透孔の開口部形状を説明する説明図であって、（ａ）は裏面側、（ｂ）は表面側。
【図１１】実施の形態３のスピーカ装置の背面図。
【図１２】実施の形態３のスピーカ装置の側面図。
【図１３】実施の形態３において傾斜部に対してスピーカ装置を取り付ける際の取り付け工程を説明する説明図。
【図１４】実施の形態３において傾斜部に対してスピーカ装置を取り付けた状態の説明図。
【図１５】従来のスピーカ装置を取り付けた状態の説明図。
【図１６】成型品とその成形を行う金型の型抜き方向の関係を説明する説明図であって、（ａ）は２分割金型で型抜きが可能である状態、（ｂ）は２分割金型で型抜きが不可能である状態、（ｃ）が３分割金型で型抜きを可能とした状態。
【図１７】他の従来のスピーカ装置の傾斜面への取り付け構造を説明する説明図。
【図１８】図１７の取り付け構造の一部断面側面図。
【符号の説明】
【００２５】
１１…遊技機としてのパチンコ機、２３…前面パネルとしてのカバープレート、３０…音声発生装置としてのスピーカ装置、３１…支持部、３６…支持部としての傾斜部、３７…傾斜面、３８…透孔、４１…ネジとしてのタッピンネジ、４７，６２…ネジ孔。
【図１】
2006271604.tif 000003
【図２】
2006271604.tif 000004
【図３】
2006271604.tif 000005
【図４】
2006271604.tif 000006
【図５】
2006271604.tif 000007
【図６】
2006271604.tif 000008
【図７】
2006271604.tif 000009
【図８】
2006271604.tif 000010
【図９】
2006271604.tif 000011
【図１０】
2006271604.tif 000012
【図１１】
2006271604.tif 000013
【図１２】
2006271604.tif 000014
【図１３】
2006271604.tif 000015
【図１４】
2006271604.tif 000016
【図１５】
2006271604.tif 000017
【図１６】
2006271604.tif 000018
【図１７】
2006271604.tif 000019
【図１８】
2006271604.tif 000020